(57)【要約】      （修正有）【課題】高齢者、身体障害者、何らかの原因で寝たままの被介護人と被介護人を介助する介護人を保護し快適生活を遂行する、介護用リクライニング式車椅子を提供する。【解決手段】リクライニング操作により上昇モードにすると、リクライニング上昇を実施する、腰部受留台Ｂと尻部受留台Ｃの結節点２が可動下降移動、８が可動後方移動する事により、前記腰部受留台Ｂ、前記尻部受留台Ｃが定高低位置から沈みこみ、次に頭部と背部受留台Ａの６も可動後方移動する為、前記頭部と背部受留台Ａ全体が上昇することにより身体背部、腰部、尻部、大腿部を湾曲自在なバケット状に包み込む為、全身体が足元に降下、下方にずれる事を防ぐ。尚、全身体頭部、背部、腰部、尻部、大腿部、脛部、足部と全身体圧分散、局部的圧迫を分散し座位変換可能にすることにより、床擦れを最大限に軽減したことを特徴とする、介護用リクライニング式車椅子。【選択図】図１
2014104334.tif 000002
【特許請求の範囲】
【請求項１】
リクライニング式車椅子であって、人体の頭部と背部受留台Ａの一端に、腰部受留台Ｂの一側を連結具１を介して屈曲可能に軸支し、前記腰部受留台Ｂの他側を尻部受留台Ｃの一側に連結具２を介して屈曲可能に軸支し、前記尻部受留台Ｃの他側を大腿部受留台Ｄの一側に連結具３を介して屈曲可能に軸支し、前記大腿部受留台Ｄの他側を脛部受留台Ｅの一側に連結具４を介して屈曲可能に軸支し、前記脛部受留台Ｅの他側を足部受留台Ｆに連結具５を介して屈曲可能に軸支すると共に、前記大腿部受留台Ｄに躯体部ｄを一体化し、前記頭部と背部受留台Ａに連結具体アの一側を連結具６を介して回動可能に軸支し、前記躯体部ｄに同連結具体アの他側を連結具７を介して回動可能に軸支し、前記腰部受留台Ｂに連結具体イの一側を連結具８を介して回動可能に軸支し、同連結具体イの他側を前記躯体ｄに連結具９を介して回動可能に軸支し、前記腰部受留台Ｂに連結具体ウの一側を連結具１０を介して回動可能に軸支し、同連結具体ウの他側を前記脛部受留台Ｅに連結具１１を介して回動可能に軸支し、又、前記駆体部ｄに連結具体エの一側に連結具１２を介して回動可能に軸支し、同連結具体エの他側を前記足部受留台Ｆに連結具１３を介して回動可能に軸支し、更に、前記躯体部ｄに回動可能な連結具１４，１５を介して上下動可能な昇降体部Ｇを取り付け、同昇降体部Ｇの下部に回動可能な連結具１６、１７を介して移動可能にするキャスターを有する総支体部Ｈを取付けることを特徴とするリクライニング式車椅子。
【請求項２】
前記リクライニング式車椅子において、前記頭部と背部受留台Ａに前記連結具体アの一側を前記連結具６を介して回動可能に軸支し、前記躯体部ｄに同連結具体アの他側を前記連結具７を介して回動可能に軸支し、前記腰部受留台Ｂに前記連結具体イの一側を前記連結具８を介して回動可能に軸支し、同連結具体イの他側を前記躯体部ｄに前記連結具９を介して回動可能に軸支して一体的に連動可動とし、前記腰部受留台Ｂと，前記尻部受留台Ｃとが定位置より降下して、前記頭部と背部受留台Ａが上昇し、前記頭部と背部受留台Ａと、前記腰部受留台Ｂと前記尻部受留台Ｃ及び、前記大腿部受留台Ｄとが、一体的に湾曲包状形になることを特徴とする請求項１に記載のリクライニング式車椅子。
【請求項３】
前記リクライニング式車椅子をリクライニング式介護用ベッドの内、若しくは、同リクライニング式介護用ベッドのサイドに着脱自在に投入連結することを特徴とする請求項１に記載のリクライニング式車椅子。
【発明の詳細な説明】
【技術分野】
【０００１】  この発明は、高齢者、身体障害者及び、何等かの原因で寝たままになった被介護人  尚、被介護人を介助する介護人の日常生活向上に供するための車椅子体に関する問題を、本発明のリクライニング式車椅子により解決した事を提供。車椅子及びベッドにてリクライニングを繰り返す事により全身体が足元へ降下する事を防ぎ尚、床擦れを緩和する車椅子。リクライニングにて前記頭部と背部受留台Ａ上昇時、前記腰部受留台Ｂ、前記尻部受留台Ｃ、前記大腿部受留台Ｄが下降し湾曲形状に変化し身体をバケット状に包み込み、身体が足元下方にずれ、容易ならしめる事を防ぎ、尚、床擦れの軽減を目的とした。
【背景技術】
【０００２】  従来のリクライニング式車椅子では確答は無く、ベッド部を検索しベッド部門、リクライニングベッド体でリクライニング上昇時身体が足元下方へ、ずれるのを抑えるのにリクライニングをする前に大腿部より下方の脛部、足部を起立させ、後にリクライニングする発明が提案されている。
【先行技術文献】
【特許文献】
【特許文献１】  特開２００９−９５６３９号公報
【発明の概要】
【発明が解決しようとする課題】
【０００３】  現存のリクライニング式車椅子体では、リクライニング昇降を繰り返す事により、  身体が足元下方にずれ尚、床擦れが発生しやすい構造環境であり被介護人に苦痛を与える虞があり尚、介護人は、被介護人のリクライニング昇降を繰り返す事により身体のずれを定位置に直さねば成らない、又、床擦れ、病の治療等々重労働を与えてきた、車椅子では移動を優先する事を目的に一時的の使用とみなし中期、長期使用を軽んじてきた事により被介護人の苦痛、違和感、床擦れ尚、介護人の重労力を有して来た。
【課題を解決するための手段】
【０００４】  本発明は、リクライニング式車椅子であって、人体の頭部と背部受留台Ａの一端に、腰部受留台Ｂの一側を連結具１を介して屈曲可能に軸支し、前記腰部受留台Ｂの他側を尻部受留台Ｃの一側に連結具２を介して屈曲可能に軸支し、前記尻部受留台Ｃの他側を大腿部受留台Ｄの一側に連結具３を介して屈曲可能に軸支し、前記  大腿部受留台Ｄの他側を脛部受留台Ｅの一側に連結具４を介して屈曲可能に軸支し、前記脛部受留台Ｅの他側を足部受留台Ｆに連結具５を介して屈曲可能に軸支すると共に、前記大腿部受留台Ｄに躯体部ｄを一体化し、前記頭部と背部受留台Ａに連結具体アの一側を連結具６を介して回動可能に軸支し、前記躯体部ｄに同連結具体アの他側を連結具７を介して回動可能に軸支し、前記腰部受留台Ｂに連結具体イの一側を連結具８を介して回動可能に軸支し、同連結具体イの他側を前記躯体ｄに連結具９を介して回動可能に軸支し、前記腰部受留台Ｂに連結具体ウの一側を連結具１０を介して回動可能に軸支し、同連結具体ウの他側を前記脛部受留台Ｅに連結具１１を介して回動可能に軸支し、又、前記駆体部ｄに連結具体エの一側に連結具１２を介して回動可能に軸支し、同連結具体エの他側を前記足部受留台Ｆに連結具１３を介して回動可能に軸支し、更に、前記躯体部ｄに回動可能な連結具１４，１５を介して上下動可能な昇降体部Ｇを取り付け、同昇降体部Ｇの下部に回動可能な連結具１６、１７を介して移動可能にするキャスターを有する総支体部Ｈを取付けることを特徴とするリクライニング式車椅子で、更に、前記リクライニング式車椅子において、前記頭部と背部受留台Ａに前記連結具体アの一側を前記連結具６を介して回動可能に軸支し、前記躯体部ｄに同連結具体アの他側を前記連結具７を介して回動可能に軸支し、前記腰部受留台Ｂに前記連結具体イの一側を前記連結具８を介して回動可能に軸支し、同連結具体イの他側を前記躯体部ｄに前記連結具９を介して回動可能に軸支して一体的に連動可動とし、前記腰部受留台Ｂと，前記尻部受留台Ｃとが定位置より降下して、前記頭部と背部受留台Ａが上昇し、前記頭部と背部受留台Ａと、前記腰部受留台Ｂと前記尻部受留台Ｃ及び、前記大腿部受留台Ｄとが、一体的に湾曲包状形になるようにしたので、リクライニング式車椅子の前記頭部と背部受留台Ａがリクライニング上昇可動時、前記腰部受留台Ｂ、前記尻部受留台Ｃ、がリクライニング前哨定位置より降下する、前記大腿部受留台Ｄが定位置にあって湾曲屈折自在のバケット状になり身体を包み込むようになる。更に、本発明のリクライニング式車椅子体を、図３に図示するリクライニング式介護用ベッド両サイドの外（Ａ−１，Ｂ−１，Ｃ−１，Ｄ−１，Ｅ−１，Ｆ−１）と（Ａ−２，Ｂ−２，Ｃ−２，Ｄ−２，Ｅ−２，Ｆ−２）の内に（Ａ，Ｂ，Ｃ，Ｄ，Ｅ，Ｆ）を投入連結することにより、リクライニング式介護用ベッドとなる、または、リクライニング式車椅子をリクライニング式介護用ベッドのサイドに着脱自在に投入連結することもできる。
【発明の効果】
【０００５】  本発明は、リクライニング使用時、同時に腰部受留台Ｂ、尻部受留台Ｃが定位置から沈み込み大腿部受留台Ｄが定位置にあり湾曲屈折自在のバケット状で身体を支える為、全身体圧を分散し尚，局部的な圧迫をも分散することで、身体の足元下方へのずれ及び、床擦れを最大軽減できた。被介護人の、苦痛、違和感、床擦れを最大軽減し、介護人の被介護人をベッドより移動するにあたり、本発明のリクライニング式車椅子体を、図３に図示するリクライニング式介護用ベッド両サイドの外枠（Ａ−１，Ｂ−１，Ｃ−１，Ｄ−１，Ｅ−１，Ｆ−１）と（Ａ−２，Ｂ−２，Ｃ−２，Ｄ−２，Ｅ−２，Ｆ−２）から（Ａ，Ｂ，Ｃ，Ｄ，Ｅ，Ｆ）を解除し分離、移動することで介護人の重労力を軽減できた。【０００６】  何等かの原因で寝たままの被介護人の苦痛、違和感を最大限、緩和し生活を向上させ少しでも快適な生活環境を提供することができる。尚、介護人の重労力を最大限、軽減する事により、一層、被介護人への介護を充実できる。
【図面の簡単な説明】
【０００７】
【図１】本発明の一実施例を示す側面図。
【図２】図１に図示の上昇リクライニング状況を示す側面図。
【図３】本発明に係る他実施例を示す斜視図である。
【発明を実施するための形態】
【０００８】本発明は、寝たままで自力では生活出来ない被介護人、被介護人を介助する介護人の生活環境をより良くするために発明したものである。
【実施例】
【０００９】  本発明に係る一実施例を図１から図３を参照し以下、具体的に説明する。
図１に図示のリクライニング式車椅子において、人体の頭部と背部受留台Ａの一端に、腰部受留台Ｂの一側を連結具１を介して屈曲可能に軸支し、前記腰部受留台Ｂの他側を尻部受留台Ｃの一側に連結具２を介して屈曲可能に軸支し、前記尻部受留台Ｃの他側を大腿部受留台Ｄの一側に連結具３を介して屈曲可能に軸支し、前記大腿部受留台Ｄの他側を脛部受留台Ｅの一側に連結具４を介して屈曲可能に軸支し、前記脛部受留台Ｅの他側を足部受留台Ｆに連結具５を介して屈曲可能に軸支すると共に、前記大腿部受留台Ｄに躯体部ｄを一体化し、前記頭部と背部受留台Ａに連結具体アの一側を連結具６を介して回動可能に軸支し、前記躯体部ｄに同連結具体アの他側を連結具７を介して回動可能に軸支し、前記腰部受留台Ｂに連結具体イの一側を連結具８を介して回動可能に軸支し、同連結具体イの他側を前記躯体ｄに連結具９を介して回動可能に軸支し、前記腰部受留台Ｂに連結具体ウの一側を連結具１０を介して回動可能に軸支し、同連結具体ウの他側を前記脛部受留台Ｅに連結具１１を介して回動可能に軸支し、又、前記駆体部ｄに連結具体エの一側に連結具１２を介して回動可能に軸支し、同連結具体エの他側を前記足部受留台Ｆに連結具１３を介して回動可能に軸支し、更に、前記躯体部ｄに回動可能な連結具１４，１５を介して上下動可能な昇降体部Ｇを取り付け、同昇降体部Ｇの下部に回動可能な連結具１６、１７を介して移動可能にするキャスターを有する総支体部Ｈを取付けることを特徴とするリクライニング式車椅子で、更に、図２に図示する如く、前記リクライニング式車椅子において、前記頭部と背部受留台Ａに前記連結具体アの一側を前記連結具６を介して回動可能に軸支し、前記躯体部ｄに同連結具体アの他側を前記連結具７を介して回動可能に軸支し、前記腰部受留台Ｂに前記連結具体イの一側を前記連結具８を介して回動可能に軸支し、同連結具体イの他側を前記躯体部ｄに前記連結具９を介して回動可能に軸支して一体的に連動可動とし、前記腰部受留台Ｂと，前記尻部受留台Ｃとが定位置より降下して、前記頭部と背部受留台Ａが上昇し、前記頭部と背部受留台Ａと、前記腰部受留台Ｂと前記尻部受留台Ｃ及び、前記大腿部受留台Ｄとが、一体的に湾曲包状形になるようにしたので、リクライニング式車椅子の前記頭部と背部受留台Ａがリクライニング上昇可動時、前記腰部受留台Ｂ、前記尻部受留台Ｃがリクライニング前哨定位置より降下、前記大腿部受留台Ｄが定位置にあることにより湾曲屈折自在のバケット状になり身体を包み込むようになる。更に、本発明のリクライニング式車椅子体を、図３に図示するリクライニング式介護用ベッド両サイドの外枠（Ａ−１，Ｂ−１，Ｃ−１，Ｄ−１，Ｅ−１，Ｆ−１）と（Ａ−２，Ｂ−２，Ｃ−２，Ｄ−２，Ｅ−２，Ｆ−２）の内（Ａ，Ｂ，Ｃ，Ｄ，Ｅ，Ｆ）に投入連結することにより、リクライニング式介護用ベッドとなる。また、リクライニング式車椅子をリクライニング式介護用ベッドのサイドに着脱自在に投入連結することは言うまでもない。リクライニング操作により上昇モードを実施すると、前記腰部受留台Ｂと前記尻部受留台Ｃの連結具２が可動降下移動、前記腰部受留台Ｂの連結具８が可動後方移動する事により、前記腰部受留台Ｂと前記尻部受留台Ｃが定高低位置から沈み込み、次に前記頭部と背部受Ａの６も可動後方移動する為前記頭部と背部受留台Ａ全体が上昇する、前記頭部と背部受留台Ａと前記腰部受留台Ｂ，前記尻部受留台Ｃ，前記大腿部受留台Ｄ、が湾曲屈折自在のバケット状に成り、身体を包み込み、支える為、全身体が足元下方にずれる事を抑え、尚、全身体圧分散、局部的圧迫の分散し床擦れを最大限に軽減でき生活環境を向上させることができた。
【産業上の利用可能性】
【００１０】  現社会で、寝たままの被介護人、特に高齢者の増加は著しく、被介護人の恥じらい苦痛、違和感は、如何なものか、被介護人を介助する介護人の労働動力に至っては重労働の連続である。例えば、床擦れ、病の治療、食事、排泄の世話、車椅子、ベッド等の身体のずれ等々尚、ベッドより他、他よりベッドへの移動と、職業病とも言える腰痛持ちの多大、は介護界の重大懸念にある、本発明は被介護人の苦痛削減、介護人の重労働を最大限に削減することを目的とし、介護界を変えるリクライニング式車椅子である。本発明のリクライニング式車椅子と先の出願（特開２００５−３０４６２６）と統合する事により、被介護人の恥じらい苦痛を軽減し、介護人の労力をも最大限に軽減出来る発明である。本発明は、日本国は元より世界各国々の介護界を変え、充実した介護生活環境を設立するリクライニング式車椅子である。
【符号の説明】
【００１１】Ａ              頭部と背部受留台
Ｂ              腰部受留台
Ｃ              尻部受留台
Ｄ              大腿部受留台
ｄ              躯体部
Ｅ              脛部受留台
Ｆ              足部受留台
Ｇ              昇降体部
Ｈ              総支体部
ア              頭部と背部受留台と躯体部との連結具体
イ              腰部受留台と躯体部との連結具体
ウ              腰部受留台と脛部受留台との連結具体
エ              躯体部と足部受留台との連結具体
１              頭部と背部受留台Ａと腰部受留台Ｂの連結具（ピン等）
２              腰部受留台Ｂと尻部受留台Ｃの連結具（ピン等）
３              尻部受留台Ｃと大腿部受留台Ｄの連結具（ピン等）
４              大腿部受留台Ｄと脛部受留台Ｅの連結具（ピン等）
５              脛部受留台Ｅと足部受留台Ｆの連結具（ピン等）
６              頭部と背部受留台Ａと連結具体アとの連結具（ピン等）
７              躯体部Ｄと連結具体アとの連結具（ピン等）
８              腰部受留台Ｂと連結具体イとの連結具（ピン等）
９              躯体部と連結具体イとの連結具（ピン等）
１０            腰部受留台Ｂと連結具体ウとの連結具（ピン等）
１１            脛部受留台Ｅと連結具体ウとの連結具（ピン等）
１２            躯大部Ｄと連結具体エとの連結具（ピン等）
１３            足部受留台Ｆと連結具体エとの連結具（ピン等）
１４            昇降体部と躯体部との連結具（ピン等
１５            昇降体部と躯体部との連結具（ピン等）
１６            昇降体部と総支体部との連結具（ピン等）
１７            昇降体部と総支体部との連結具（ピン等）
【図１】
2014104334.tif 000003
【図２】
2014104334.tif 000004
【図３】
2014104334.tif 000005